(57)【要約】【課題】デジタルテレビ放送方式では、中間周波数信号をデジタル復調回路へ入力し、映像と音声を復調してしまうため、中間周波部が不要となり、そのままではＦＭ音声多重放送を受信できなくなる。受信するためにはＴＶチューナとは別にＦＭチューナが必要となるが、携帯電話機やカーナビゲーションシステムなどに搭載されるモバイル用テレビジョン受像機としては小型化や軽量化、低消費電力化が厳しく要求される。【解決手段】局部発振器４２のＶＨＦ帯発振信号を分周回路５１で分周して第２の混合回路５３に入力することで、ＦＭ受信信号を復調して、デジタルテレビ放送方式用のテレビチューナを用いてＦＭ放送を視聴できるようになると共に、ＦＭ波用発振回路とその構成回路を省略でき、小型化、軽量化及び低消費電力化を図ることができる。【選択図】図１
2006304041.tif 000002
【特許請求の範囲】
【請求項１】
発振周波数変化手段を有した局部発振器と、該局部発振器の出力とアンテナ同調回路により選択された第１の高周波信号とが供給されて、前記第１の高周波信号を第１の中間周波信号に変換する第１の混合回路と、前記第１の中間周波信号をデジタル復調するデジタル信号復調回路とを備えたデジタルテレビチューナ回路と、アンテナ同調回路により選択された第２の高周波信号を第２の中間周波信号に変換する第２の混合回路と、音声信号復調回路とを備えた地上波ＦＭチューナ回路において、前記局部発振器の出力信号を分周する分周回路を有し、該分周回路の出力信号を、前記第２の高周波信号を前記第２の中間周波信号に変換するために前記第２の混合回路へ入力することを特徴とするＴＶ／ＦＭ複合チューナ回路。
【請求項２】
前記分周回路の出力を入力する低域通過型または帯域通過型のフィルタ回路を設けることを特徴とした請求項１に記載のＴＶ／ＦＭ複合チューナ回路。
【発明の詳細な説明】
【技術分野】
【０００１】
本発明は、モバイル用テレビジョン受像機に搭載されるＴＶ／ＦＭ複合チューナに関し、特に半導体集積回路に内蔵するのに最適なＴＶ／ＦＭ複合チューナ回路に関する。
【背景技術】
【０００２】
近年、携帯電話機やカーナビゲーションシステムなどに搭載されるモバイル用テレビジョン受像機の需要が高まっているが、その付加価値を高めるものとして、モバイル用テレビジョン受像機でのＦＭ音声多重放送受信がある（例えば特許文献１参照）。
【０００３】
図３は、前記特許文献１に記載された、従来のＴＶ／ＦＭ複合チューナ回路の構成図である。
【０００４】
図３において、１はアンテナである。２は地上波ＴＶ放送信号を受信するＴＶ受信部で、ＵＨＦ信号受信部１４とＶＨＦ信号受信部２４から構成されている。さらにＵＨＦ信号受信部１４は、単同調フィルタ１１、高周波増幅器１２及び複同調フィルタ１３から構成されており、ＶＨＦ信号受信部２４は、単同調フィルタ２１、高周波増幅器２２及び複同調フィルタ２３から構成されている。また３４はＦＭ信号受信部であり、単同調フィルタ３１、高周波増幅器３２及び複同調フィルタ３３から構成されている。１０３はスイッチで、ＵＨＦ信号受信部１４の出力信号と、ＶＨＦ信号受信部２４の出力信号と、ＦＭ信号受信部３４の出力信号のどれかを選択するものである。次に４は周波数変換部であり、第１の混合回路４１、局部発振器４２、中間周波フィルタ４３から構成されている。次に１０５は中間周波部であり、増幅回路１５１、映像検波器１５２及び電圧制御発振器１５３から構成されている。次に７は音声信号復調部であり、増幅回路７１及び音声信号復調回路７２から構成されている。尚、１０６は中間周波部１０５の出力信号の内、ＳＩＦ（Ｓｏｕｎｄ Ｉｎｔｅｒｍｅｄｉａｔｅ Ｆｒｅｑｕｅｎｃｙ）のみを取り出して音声信号復調部７に入力するバンドパスフィルタである。また、１８１はＴＶ音声多重信号復調回路、８２はＦＭステレオ復調回路、１９１は映像信号出力端子、１９２はＴＶ音声多重信号出力端子、９３はＦＭステレオ信号出力端子、９４はＦＭ音声信号出力端子である。
【０００５】
次に図３のＴＶ／ＦＭ複合チューナ回路の動作について説明する。
【０００６】
（ＴＶ受信時）
まずＴＶ信号受信について説明する。
【０００７】
アンテナ１から入力された高周波信号は、ＴＶ受信部２に入力される。１１は同調周波数がＵＨＦ放送帯域の単同調フィルタで、アンテナ１からの入力信号のうちＵＨＦ放送帯域の信号のみが通過する。高周波増幅器１２は単同調フィルタ１１の出力が接続されており、このＵＨＦ放送帯域の信号を増幅させるものであり、高周波増幅器１２の出力信号は複同調フィルタ１３を介してスイッチ１０３に入力される。
【０００８】
次に２１は同調周波数がＶＨＦ放送帯域の単同調フィルタで、アンテナ１からの入力信号のうちＶＨＦ放送帯域の信号のみが通過する。高周波増幅器２２は単同調フィルタ２１の出力が接続されており、このＶＨＦ放送帯域の信号を増幅させるものであり、高周波増幅器２２の出力信号は複同調フィルタ２３を介してスイッチ１０３に入力される。ここでスイッチ１０３を切り替えることで、ＵＨＦ放送信号かＶＨＦ放送信号のどちらかを選択することができ、その選択信号が第１の混合回路４１の一端に入力される。
【０００９】
一方、第１の混合回路４１の他端には局部発振器４２の出力が接続されており、スイッチ１０３の出力と混合されて、中間周波数へ変換された第１の混合回路４１の出力は中間周波フィルタ４３において妨害波が取り除かれ、増幅回路１５１で増幅された後に映像検波器１５２に入力される。映像検波器１５２に入力された増幅回路１５１の出力信号は、電圧制御発振器１５３の出力信号によって映像検波され、映像信号出力端子１９１から出力される。ここで映像検波器１５２の出力信号はバンドパスフィルタ１０６にも入力され、ＳＩＦだけが取り出されて増幅回路７１に入力される。増幅回路７１に入力された信号は増幅された後に音声信号復調回路７２にて音声信号に復調され、ＴＶ音声多重信号復調回路１８１を介してＴＶ音声多重信号出力端子１９２から出力される。
【００１０】
尚、この時の電圧制御発振器１５３は映像中間周波数でロックするので、所望Ｃ／Ｎは確保されている。
【００１１】
（ＦＭ受信時）
次にＦＭ信号受信について説明する。
【００１２】
アンテナ１から入力された高周波信号はＦＭ信号受信部３４に入力される。３１は同調周波数がＦＭ放送帯域の単同調フィルタで、アンテナ１からの入力信号が通過する。高周波増幅器３２は単同調フィルタ３１の出力が接続されており、このＦＭ放送帯域の信号を増幅させるものであり、高周波増幅器３２の出力信号は複同調フィルタ３３を介してスイッチ１０３を介して、第１の混合回路４１の一端に入力される。
【００１３】
一方、第１の混合回路４１の他端には局部発振器４２の出力が接続されており、スイッチ１０３の出力と混合されて、中間周波数へ変換された第１の混合回路４１の出力は中間周波フィルタ４３において妨害波が取り除かれ、増幅回路１５１で増幅された後に映像検波器１５２に入力される。映像検波器１５２の出力信号はバンドパスフィルタ１０６に入力され、ＳＩＦだけが取り出されて増幅回路７１に入力される。増幅回路７１に入力された信号は増幅された後に音声信号復調回路７２にて音声信号に復調されてＦＭ音声信号出力端子９４から出力されると共に、ＦＭステレオ復調回路８２に入力され、ステレオに復調されて、ＦＭステレオ信号出力端子９３から出力される。
【００１４】
但し、この時は映像中間周波数がないため電圧制御発振器１５３はフリーラン発振をしており、音声キャリア出力は周波数ズレが発生するためＣ／Ｎが劣化し、Ｓ／Ｎ特性の面で不利な使用方法である。
【００１５】
このように、ＴＶ／ＦＭ複合チューナ回路を用いることによってモバイル用テレビジョン受像機でＴＶ放送、ＦＭ音声多重放送の双方が視聴できるようになっている。
【特許文献１】特開２００２−２３８００５号公報
【発明の開示】
【発明が解決しようとする課題】
【００１６】
しかしながら、地上波ＴＶ放送の新しい方式として導入される地上デジタルテレビ放送方式では、中間周波信号はデジタル信号復調回路へ入力されて映像信号と音声信号をデジタル復調してしまうため、前記従来の構成にある中間周波部１０５が不要となる。このためそのままではＦＭ音声多重放送を視聴することができなくなり、これを視聴するためにはＴＶチューナとは別にＦＭチューナが必要となる。
【００１７】
一方、携帯電話機やカーナビゲーションシステムなどに搭載されるモバイル用テレビジョン受像機としては小型化や軽量化、省電力化が厳しく要求される。
【００１８】
本発明は、前記従来の課題を解決するもので、地上デジタルテレビ放送方式用のＴＶチューナのシステムでＦＭ音声多重放送の視聴も可能にし、かつ小型化、軽量化及び低消費電力化を図ったＴＶ／ＦＭ複合チューナを提供することを目的とする。
【課題を解決するための手段】
【００１９】
上記の課題を解決するために、請求項１のＴＶ／ＦＭ複合チューナ回路は、発振周波数変化手段を有した局部発振器と、該局部発振器の出力とアンテナ同調回路により選択された第１の高周波信号とが供給されて、前記第１の高周波信号を第１の中間周波信号に変換する第１の混合回路と、前記第１の中間周波信号をデジタル復調するデジタル信号復調回路とを備えた地上デジタルテレビチューナ回路と、アンテナ同調回路により選択された第２の高周波信号を第２の中間周波信号に変換する第２の混合回路と、音声信号復調回路とを備えた地上波ＦＭチューナ回路において、前記局部発振器の出力信号を分周する分周回路を有し、該分周回路の出力信号を、前記第２の高周波信号を前記第２の中間周波信号に変換するために前記第２の混合回路へ入力することを特徴としたものである。
【００２０】
請求項２の発明では、請求項１に記載のチューナにおいて、前記分周回路の出力を入力するフィルタ回路を設けることを特徴としたものである。
【発明の効果】
【００２１】
本発明のＴＶ／ＦＭ複合チューナ回路を用いることで、ＦＭ波用発振回路とその構成回路（ＰＬＬシンセサイザなど）を省略し、地上デジタルテレビ放送方式用のＴＶチューナを用いてＦＭ音声多重放送を視聴でき、かつ小型化、軽量化及び低消費電力化を図ることができる。
【発明を実施するための最良の形態】
【００２２】
以下、本発明を実施するための最良の形態について、図面を参照しながら説明する。
【００２３】
（実施の形態１）
図１は本発明の実施の形態１におけるモバイル用テレビジョン受像機のチューナの構成を示すブロック図である。図１において従来例の図３と同じ構成要素については同じ符号を用い、説明を省略する。
【００２４】
本構成は、局部発振器４２の出力信号を分周回路５１にも接続し、該分周回路５１で分周された信号を第２の混合回路５３に入力したものであり、本発明のＴＶ／ＦＭ複合チューナ回路におけるＦＭ波用発振器の発振信号の代わりに第２の混合回路５３の入力信号とした回路である。本実施形態に係る、アンテナ１、単同調フィルタ１１、高周波増幅器１２、複同調フィルタ１３、単同調フィルタ２１、高周波増幅器２２、複同調フィルタ２３、単同調フィルタ３１、高周波増幅器３２、複同調フィルタ３３、第１の混合回路４１、局部発振器４２、中間周波フィルタ４３、増幅回路７１、音声信号復調回路７２、ＦＭステレオ復調回路８２、ＦＭステレオ信号出力端子９３、ＦＭ音声信号出力端子９４は、従来のものと同様の構成である。
【００２５】
以上のように構成された本発明のチューナ回路の動作を説明する。尚、分周回路以外の構成や機能は従来と全く同様である。
【００２６】
まず５１は分周回路で、局部発振器４２の発振信号を分周して第２の混合回路５３の一端に入力する。
【００２７】
一方、アンテナ１から入力された高周波信号はＦＭ信号受信部３４を介して第２の混合回路５３の他端に入力される。分周回路５１の出力信号とＦＭ信号受信部３４の出力信号が混合されてＦＭ中間周波数に変換され、増幅回路７１で増幅された後、音声信号復調回路７２にて音声信号に復調されてＦＭ音声信号出力端子９４から出力されると共に、ＦＭステレオ復調回路８２に入力され、音声多重に復調されてＦＭステレオ信号出力端子９３から出力される。
【００２８】
例えば日本国内の場合ＦＭ放送受信に必要な局部発振周波数は、６５．３ＭＨｚ〜７９．３ＭＨｚであり、ＶＨＦ放送受信に必要な局部発振周波数は、１５０ＭＨｚ〜２７６ＭＨｚである。ここで、ＦＭ放送受信用局部発振周波数の３倍の数値は１９５．９ＭＨｚ〜２３７．９ＭＨｚとなり、これはＶＨＦ放送受信用の局部発振周波数の一部である。従って、例えば分周回路５１が３分周器の場合、局部発振器４２で１９５．９ＭＨｚ〜２３７．９ＭＨｚの周波数で発振させ、これらの信号を分周回路５１に入力して３分の１に分周することでＦＭ放送受信に用いる信号とすることができる。
【００２９】
例えばＦＭ信号受信部３４により選択されたＦＭ放送波信号ＲＦがＲＦ＝７７．４ＭＨｚ、中間周波信号ＩＦがＩＦ＝１０．７ＭＨｚの場合、必要な局部発振周波信号ＬｏはＬｏ＝６６．７ＭＨｚであるが、この局部発振周波信号Ｌｏを局部発振器４２の発振周波信号で代用することを考えると、分周回路５１の分周比を３分の１に固定し、局部発振器４２を２００．１ＭＨｚで発振させれば、第２の混合回路５３の出力は希望波の中間周波信号とすることができる。
【００３０】
尚、本発明では日本国内を例としたが、例えばアメリカ合衆国内ではＦＭ放送受信に必要な局部発振周波数とＶＨＦ放送受信に必要な局部発振周波数はそれぞれ９８．７ＭＨｚ〜１１８．７ＭＨｚ、１０１ＭＨｚ〜４１３ＭＨｚとなる。
【００３１】
例えばアメリカ合衆国内において、ＦＭ信号受信部３４により選択されたＦＭ放送波信号ＲＦがＲＦ＝１０６．８ＭＨｚ、中間周波数ＩＦがＩＦ＝１０．７ＭＨｚの場合、必要な局部発振周波信号ＬｏはＬｏ＝１１７．５ＭＨｚであるが、この局部発振周波信号Ｌｏを局部発振器４２の発振周波信号で代用することを考えると、分周回路５１の分周比を２分の１に固定し、局部発振器４２を２３５ＭＨｚで発振させれば、第２の混合回路５３の出力信号は希望波の中間周波信号とすることができる。
【００３２】
ここで分周回路５１の分周比を２分の１としたように、その時々に応じて分周回路５１の分周比は変化させる必要がある。
【００３３】
尚、このように局部発振器４２の発振信号を使用してＦＭ信号を中間周波数へ変換すると、ＰＬＬでロックした信号を使うため、図３で表される従来のＴＶ／ＦＭ複合チューナと比較しても、周波数特性、Ｃ／Ｎともに特性が向上する利点も得られる。
【００３４】
（実施の形態２）
図２は本発明の実施の形態２におけるモバイル用テレビジョン受像機のチューナの構成を示すブロック図である。図２において、図１および図３と同じ構成要素については同じ符号を用い、説明を省略する。
【００３５】
本構成は、分周回路５１の出力信号をフィルタ回路５２へ通過させることで、分周回路５１の出力信号から不要信号成分を抑圧し、ＦＭ中間周波帯域内に不要信号成分が発生することを防ぐ回路であり、分周回路５１の出力をフィルタ回路５２を介して第２の混合回路５３に入力している。
【００３６】
例えばＦＭ信号受信部３４により選択されたＦＭ放送波信号ＲＦがＲＦ＝８５．６ＭＨｚ、中間周波信号ＩＦがＩＦ＝−１０．７ＭＨｚの場合、必要な局部発振周波信号ＬｏはＬｏ＝７４．９ＭＨｚであり、分周回路５１の分周比を３分の１として局部発振器４２の発振周波数を２２４．７ＭＨｚとすれば良いが、この時希望波の７４．９ＭＨｚ以外にも１４９．８ＭＨｚ、２９９．６ＭＨｚ、３７４．５ＭＨｚ、４４９．４ＭＨｚ、５２４．３ＭＨｚなどの周波数成分が生成され、第２の混合回路５３に供給される。一方放送波信号ＲＦは８５．６ＭＨｚであるため、その高調波成分の１７１．２ＭＨｚ、２５６．８ＭＨｚ、３４２．４ＭＨｚ、４２８．０ＭＨｚ、５１３．６ＭＨｚなどが混合器には供給される。ここで例えば５２４．３ＭＨｚと５１３．６ＭＨｚの差分である１０．７ＭＨｚという信号が第２の混合回路５３によって生成され、ＦＭ中間周波帯域内にビート成分が発生することになる。
【００３７】
この場合は、遮断周波数が５２４ＭＨｚ以下の低域通過型または帯域通過型のフィルタ回路を分周回路５１の出力に接続することで、前記１０．７ＭＨｚのビート成分は抑圧することができる。
【産業上の利用可能性】
【００３８】
本発明にかかるＴＶ／ＦＭ複合チューナ回路は、地上波デジタルテレビ放送方式用のＴＶチューナを用いてのＦＭ音声多重放送の視聴、かつ小型化、軽量化及び低消費電力化が可能になるので、モバイル用テレビジョン受像機に搭載されるチューナに関し、特に半導体集積回路に内蔵するのに最適なチューナ回路等として有用である。
【図面の簡単な説明】
【００３９】
【図１】本発明の実施の形態１におけるモバイル用テレビジョン受像機のＴＶ／ＦＭ複合チューナ回路の図
【図２】本発明の実施の形態２におけるモバイル用テレビジョン受像機のＴＶ／ＦＭ複合チューナ回路の図
【図３】従来例のＴＶ／ＦＭ複合チューナ回路の構成図
【符号の説明】
【００４０】
１  アンテナ
２  ＴＶ受信部
３  スイッチ
４  周波数変換部
６  デジタル信号復調回路
７  音声信号復調部
１１  単同調フィルタ
１２  高周波増幅器
１３  複同調フィルタ
１４  ＵＨＦ信号受信部
２１  単同調フィルタ
２２  高周波増幅器
２３  複同調フィルタ
２４  ＶＨＦ信号受信部
３１  単同調フィルタ
３２  高周波増幅器
３３  複同調フィルタ
３４  ＦＭ信号受信部
４１  第１の混合回路
４２  局部発振器
４３  中間周波フィルタ
５１  分周回路
５２  フィルタ回路
５３  第２の混合回路
７１  増幅回路
７２  音声信号復調回路
８２  ＦＭステレオ復調回路
９１  デジタル信号出力端子
９３  ＦＭステレオ信号出力端子
９４  ＦＭ音声信号出力端子
１０３  スイッチ
１０５  中間周波部
１０６  バンドパスフィルタ
１５１  増幅回路
１５２  映像検波器
１５３  電圧制御発振器
１８１  ＴＶ音声多重信号復調回路
１９１  映像信号出力端子
１９２  ＴＶ音声多重信号出力端子
【図１】
2006304041.tif 000003
【図２】
2006304041.tif 000004
【図３】
2006304041.tif 000005